(57)【要約】 【課題】本願発明は、地震被災地などに容易に移動することができ、現場で直ぐに風力発電をすることのできる移動風車の架台、並びに移動風車を提供することを目的としている。  【解決手段】    水平方向で枠組みされた架台１上において、前部に柱支持体３、離れた後部に柱受台４が、略同じ高さに配設され、柱支持体３に水平支軸６を介して風車柱体５が、その上部を柱受台方４へ倒起可能に枢着され、前記水平支軸６を支点に、風車柱体５が傾倒される時、その風車柱体５の上部が、柱受台４で支持、固定され、そのまま移動可能な移動風車の架台１。【選択図】  図１
2010090877.tif 000002
【特許請求の範囲】
【請求項１】
水平方向で枠組みされた架台上において、前部に柱支持体、離れた後部に柱受台が、略同じ高さに配設され、柱支持体に水平支軸を介して風車柱体が、その上部を柱受台方へ倒起可能に枢着され、前記水平支軸を支点に、風車柱体が傾倒される時、その風車柱体上部が、柱受台で支持、固定され、そのまま移動可能であること、を特徴とする移動風車の架台。
【請求項２】
前記架台には、少なくとも上部の四隅部に、ワイヤを掛けて吊下可能なフックが配設されていること、を特徴とする請求項１に記載された移動風車の架台。
【請求項３】
前記架台には、前記柱支持体の後部にワイヤ案内ローラが前後向きに回転可能に配設され、前記風車柱体の下端部に一端部を固定された牽引ワイヤが、該ワイヤ案内ローラの前から下後方へ巻着されて、該牽引ワイヤを後方へ牽引することにより、傾倒されている風車柱体の下部が前下方へ引かれて、風車柱体が起立するように構成されたこと、を特徴とする請求項１に記載された移動風車の架台。 
【請求項４】
前記架台には、前記柱支持体の後方部に、前記風車柱体の下端部に一端部を固定された牽引ワイヤを牽引する、牽引装置が配設されていること、を特徴とする請求項１に記載された移動風車の架台。  
【請求項５】
前記架台には、下面前後に、車輪用の車軸受が固定可能に形成されていることを特徴とする請求項１に記載された移動風車の架台。
【請求項６】
前記架台上の柱支持体は、平面で略コ字形に形成され、開口部を架台の前方へ向けて配設されること、を特徴とする請求項１に記載された移動風車の架台。
【請求項７】
前記架台は、空ペースに蓄電池が固定されること、を特徴とする請求項１に記載された移動風車の架台。
【請求項８】
前記風車柱体は、上端縁部に複数のワイヤフックが固定されていること、を特徴とする請求項１に記載された移動風車の架台。
【請求項９】
前記風車柱体は、長さが伸縮可能に内外二管式に形成されていること、を特徴とする請求項１に記載された移動風車の架台。
【請求項１０】
水平方向で枠組みされた架台上において、前部に支持枠体、離れた後部に柱受台が、略同じ高さに配設され、支持枠体に水平な支軸を介して風車柱体が、その上部を柱受台方へ倒起可能に枢着され、該風車柱体の上部に風力発電器が固定され、前記水平支軸を支点に、風車柱体が傾倒される時その風車柱体上部が、柱受台で支持、固定され、そのまま移動され、現場で水平支軸を支点として、風車柱体を垂直に起立固定されること、を特徴とする移動風車。
【請求項１１】
前記移動風車における風力発電器は、風車柱体上部に固定された筐体に垂直軸が支持され、該垂直軸の上部において、縦軸周囲に複数の揚力型翼が配設された縦軸風力発電器であること、を特徴とする請求項１０に記載された移動風車。
【請求項１２】
前記移動風車における風力発電器は、風車柱体上部に旋回自在に固定されたナセル内に横軸が配設され、該横軸にプロペラが固定されたプロペラ式風力発電器であること、を特徴とする請求項１０に記載された移動風車。
【発明の詳細な説明】
【技術分野】
【０００１】
本願発明は、移動風車の架台並びに移動風車に係り、特に架台に風車支柱を倒起可能に配設し、そのままか風車支柱に風車を装着した状態で移動させて、地震被災地などの現場で、直ぐに風力発電をさせることのできる移動風車の架台、並びに移動風車に関する。
【背景技術】
【０００２】
従来、風力発電機用の風車は、例えば特許文献１のように、現場に固定ベースを建設し、固定的に立設している。
【特許文献１】特開２００５−１７１８５２号公報
【発明の開示】
【発明が解決しようとする課題】
【０００３】
従来の風車は、地面などに固定されるものなので、移動することは困難である。例えば地震などの大きな災害があると、道路が寸断され、また電柱が倒れ、電線が切断されて、被災地での電力に支障を来す。
ガソリンエンジン式の発電器も、石油がなければ役に立たない。このような時に風力発電機が被災地へ搬送出来れば、風力を利用して、大容量の電力を供給することができる。この発明は、風力発電機を容易に移動するための移動風車の架台、並びに架台に起倒可能に固定された風車を提供することを目的としている。
【課題を解決するための手段】
【０００４】
この発明の具体的な内容は次の通りである。
【０００５】
（１）  水平方向で枠組みされた架台上において、前部に柱支持体、離れた後部に柱受台が、略同じ高さに配設され、柱支持体に水平支軸を介して風車柱体が、その上部を柱受台方へ倒起可能に枢着され、前記水平支軸を支点に、風車柱体が傾倒される時、その風車柱体の上部が、柱受台で支持、固定され、そのまま移動可能な移動風車の架台。
【０００６】
（２）  前記架台には、少なくとも上部の四隅部に、ワイヤを掛けて吊下可能なフックが配設されている、前記（１）に記載された移動風車の架台。
【０００７】
（３）  前記架台には、前記柱支持体の後部に、ワイヤ案内ローラが前後向きに回転可能に配設され、前記風車柱体の下端部に一端部を固定された牽引ワイヤが、該ワイヤ案内ローラの前から下後方へ巻着されて、該牽引ワイヤを後方へ牽引することにより、傾倒されている風車柱体の下部が、前下方へ引かれて、風車柱体が起立するように構成された、前記（１）に記載された移動風車の架台。
【０００８】
（４）  前記架台には、前記柱支持体の後方部に、前記風車柱体の下端部に一端部を固定された牽引ワイヤを牽引する、牽引装置が配設されている、前記（１）に記載された移動風車の架台。
【０００９】
（５）  前記架台には、下面前後に、車輪用の車軸受が固定可能に形成されている、前記（１）に記載された移動風車の架台。
【００１０】
（６）  前記架台上の柱支持体は、平面で略コ字形に形成され、開口部を架台の前方へ向けて配設される、前記（１）に記載された移動風車の架台。
【００１１】
（７）  前記架台は、空ペースに蓄電池が固定される、前記（１）に記載された移動風車の架台。
【００１２】
（８）  前記風車柱体は、上端縁部に複数のワイヤフックが固定されている、前記（１）に記載された移動風車の架台。
【００１３】
（９）  前記風車柱体は、長さが伸縮可能に内外二管式に形成されている、前記（１）に記載された移動風車の架台。
【００１４】
（１０）  水平方向で枠組みされた架台上において、前部に支持枠体、離れた後部に柱受台が、略同じ高さに配設され、支持枠体に水平な支軸を介して風車柱体が、その上部を柱受台方へ倒起可能に枢着され、該風車柱体の上部に風力発電器が固定され、前記水平支軸を支点に、風車柱体が傾倒される時その風車柱体上部が、柱受台で支持、固定され、そのまま移動され、現場で水平支軸を支点として、風車柱体を垂直に起立固定される、移動風車。
【００１５】
（１１）  前記移動風車における風力発電器は、風車柱体上部に固定された筐体に垂直軸が支持され、該垂直軸の上部において、縦軸周囲に複数の揚力型翼が配設された縦軸風力発電器である、前記（１０）に記載された移動風車。
【００１６】
（１２）  前記移動風車における風力発電器は、風車柱体上部に旋回自在に固定されたナセル内に横軸が配設され、該横軸にプロペラが固定されたプロペラ式風力発電器である、前記（１０）に記載された移動風車。
【発明の効果】
【００１７】
本発明によると次のような効果がある。
【００１８】
（１）  前記（１）に記載された発明の移動風車の架台は、架台に柱支持体を介して風車柱体が倒起可能に配設されているので、風車柱体を支軸を支点として傾倒させると、の風車支柱の上部は柱受台に支承される。このままか、風車支柱の上部に風力発電器を装着して、架台ごと適宜の移動手段により移動させることができる。トラックの通れない場所なら、ヘリコプターに吊って移動させ、或いは船に積載して移動させる。
地震被災地などに移動し、現場において、風車柱体に風力発電器が装着されていない時は装着して、支軸を支点として、風車柱体を垂直に起立させて固定する。移動手段がトラックの場合はトラック上で、水平を維持すると、風が有れば風力発電器の風車が回転して、直ぐに発電をさせることができる。
【００１９】
（２）  前記（２）に記載された発明の移動風車の架台は、少なくとも上部の四隅部に、ワイヤを掛けるフックが配設されているので、乗物による移動においては、動かないように固定するワイヤを掛けることができる。また、フックにワイヤをかけてヘリコプターに吊ることができる。
【００２０】
（３）  前記（３）に記載された発明の移動風車の架台は、柱支持体の後部にワイヤ案内ローラが前後向きに回転可能に配設され、前記風車柱体の下端部に一端部を固定された牽引ワイヤが、該ワイヤ案内ローラの前から下後方へ巻着されているので、該牽引ワイヤを引くことにより、傾倒されている風車柱体を容易に起立させることができる。
【００２１】
（４）  前記（４）に記載された発明の移動風車の架台は、前記柱支持体の後方部に、前記風車柱体の下端部に一端部を固定された牽引ワイヤを牽引するための、牽引装置が配設されているので、容易に牽引ワイヤを牽引して、傾倒されている風車柱体を起立させて、柱支持体に固定させることができる。
【００２２】
（５）  前記（５）に記載された発明の移動風車の架台は、下面前後に、車輪用の車軸受が固定可能に形成されているので、あらかじめ車軸受を架台下部に固定して車輪を装着させると、架台を容易に移動させることができ、例えば小型自動車、トラクターなどで牽引させることができる。
【００２３】
（６）  前記（６）に記載された発明の移動風車の架台は、架台上の柱支持体が、平面で略コ字形に形成され、開口部を架台の前方へ向けて配設されているので、風車柱体は柱支持体に安全に固定され、かつ、傾倒時に容易に傾倒させることができる。
【００２４】
（７）  前記（７）に記載された発明の移動風車の架台は、空ペースに蓄電池が固定されるので、風力発電器が発電する電気を蓄電させることができる。
【００２５】
（８）  前記（８）に記載された発明の移動風車の架台は、上端縁部に複数のワイヤフックが固定されているので、該フックにワイヤの一端を固定し、他の一端を架台に固定させることによって、発電時における風車柱体の揺れを抑制させることができる。
【００２６】
（９）  前記（９）に記載された発明の移動風車の架台は、風車柱体の長さが伸縮可能に内外二管式に形成されているので、上部の風力発電器の高さ位置を調節させることができる。
【００２７】
（１０）  前記（１０）に記載された発明の移動風車は、移動可能な架台の上に、風車柱体が柱支持体に依って支持され、かつ支軸を支点として倒起可能に配設されているので、傾倒させて上部を柱受台に支承させることによって、トラックの荷台にも積載することができる。移動した先で風車柱体を垂直に起立させることによって、風さえ有れば直ぐにでも風力により発電をさせ、電力を得ることができる。
【００２８】
（１１）  前記（１１）に記載された発明の移動風車は、風車柱体上部に固定された筐体に垂直軸が支持され、該垂直軸の上部において、縦軸周囲に複数の揚力羽根が配設された縦軸風力発電器であるので、風の向きにかかわらず、風さえ吹けば発電することができる。
【００２９】
（１２）  前記（１２）に記載された発明の移動風車は、風車柱体上部に旋回自在に固定されたナセル内に横軸が配設され、該横軸にプロペラが固定されたプロペラ式風力発電器であるので、プロペラが風上に向いていれば容易に発電させることができる。
【発明を実施するための最良の形態】
【００３０】
頑丈に形成された架台に、柱支持体が立設され、該柱支持体に支軸を介して風車柱体が倒起可能に固定されている。風車柱体を傾倒させたとき、柱受台により略水平に支持される。そのままか風車柱体の上部に風力発電器を装着した状態で、トラックなどにより移動させることができる。
【実施例１】
【００３１】
この発明の実施例１を図面を参照して説明する。図１は本願発明にかかる移動風車の架台（以下端に架台という）の左側面図、図２は平面図である。
図において架台１は、平面において、基部２が枠材２ａにより方形に枠組みされている。基部２の上部中ほどに床板２ｂが張着されている。
【００３２】
前記床板２ｂの前部幅中央部に、断面略コ字形の柱支持体３が、開口を前向きに立設されている。また床板２ｂの後部中央部には、柱受台４が横に長く配設されている。この柱支持体３と柱受台４の高さは、略同じに設定される。図における符号２ｃはフック、３ａは斜交いである。      
【００３３】
前記柱支持体３には、風車柱体５が立設され、柱支持体３の上部で左右に貫通するように支軸６が貫設され、図３．４に示すように、風車柱体５はその支軸６を支点として、上部を柱受台４方へ傾倒させることができる。傾倒された状態で風車柱体５は、ほぼ水平に維持される。
【００３４】
図１において符号７は、風車柱体５の下部を柱支持体３に固定しておく固定ピンである。また符号５ａはフックである。該フック５ａと架台２のフック２ｃ間に、図示しないワイヤを張設することによって、風車柱体５の揺動を抑制することができる。
【００３５】
図５は、風車柱体５を傾倒させた状態を示す側面図である。図５．６において風車柱体５の先端部に風車１６が装着されている。
風車１６は、風車基部１７が風車柱体５の先端部に固定されている。風車基部１７の内部には、図示しない縦主軸が風車柱体５と同心状に、配設されている。
【００３６】
前記風車基部１７の中上部で縦主軸の周囲には、図示しない誘導発コイルが配設されている。前記風車基部１７より上に突出した縦主軸には、回転体１８が回転自在に配設され、該回転体１８の側部に複数の翼支持体１９が放射方へ向いて突設されている。該翼支持体１９の先端部に風車翼２０が装着されている。図中の符号１７ａは風車基部１７のキャップ、２０ａは傾斜部である。
【００３７】
図５に示す状態、或いは、風車１６を取付けない状態で、この架台１をトラック、船などで地震被災地などへ運搬する。道路が閉鎖されたような場合は、架台１の四隅に有るフック２ｃにワイヤなどをかけて、ヘリコプターで現場まで運搬する。
【００３８】
図５において、風車柱体５を垂直にするには、風車８が小型の場合は、人手に依って起立させることができる。また大型の場合は、クレーンなどの機器を使用することができる。
しかし、地震などの被災地に移動する場合には、クレーンなどを使用することは困難である。従って、少人数の人手に依って起立させる。
【００３９】
風車柱体５を垂直にし、風車１６の風車翼１７が回転出来る状態にすると、風さえあれば、風車８は回転して、発電をすることができる。
発電した電気は、一時的に架台１上の蓄電池２１に蓄電し、必要な個所にコードを引いて給電させることができる。
【実施例２】
【００４０】
図７は、架台１の実施例２を示し、架台１上で傾倒されている風車柱体５を、垂直に起立させるための、牽引装置８が配設されている。
牽引装置８は、どのような構成でもよいが、図７においては、風車柱体５の下端部に形成されたフック５ｂに、一端を固定されたワイヤ９が、ワイヤ案内ローラ１０に巻着されて、後方へ来るワイヤ９を牽引するもので、図７においては、巻取ローラ１１にウオームホイール１２が併設され、ウオームホイール１２の下にウオーム１３が歯合されている。
【００４１】
図８に例示するように、前記ウオーム１３をクランク１４で回転させると、巻取ローラ１１がウオームホイール１２と共に回転し、ワイヤ９を前方へ引くことによって、風車柱体５の下端部が降下して下前方へ移動し、柱支持体３の中におさまる。
【００４２】
依って風車柱体５の下部を柱支持体３に、固定ピン７をもって固定させる。ウオーム１３の回転は緩やかであるが、それだけに図７に示すような手回しでも、傾倒されている風車柱体５を容易に起立させることができる。勿論小型モータでウオーム１３を回転させることができる。
【実施例３】
【００４３】
図９は、実施例３を示す架台１の側面図である。この実施例３は、架台１の下部に車輪１５を着脱自在に配設されたものである。
これによって、架台１を人手で牽引し、或いは農業用トラクター等で牽引することができる。  図１０は、風車支柱に、プロペラ式の風車１６を装着したものである。
【産業上の利用可能性】
【００４４】
この発明は、架台上に風車支柱を倒立可能に配設した風車の架台で、このままか架台上の風車支柱に風車を装着した状態で、地震被災地などへ運搬して、現場で発電させることができるので、防災用、或いは電線の引かれていない僻地などでの風力発電に利用することができる。
【図面の簡単な説明】
【００４５】
【図１】本発明にかかる風車の架台の側面図である。
【図２】本発明にかかる風車の架台の平面図である。
【図３】風車柱体を傾倒させた風車の架台の側面図である。
【図４】風車柱体を傾倒させた風車の架台の側面図である。
【図５】風車柱体に風車を装着した風車の架台の側面図である。
【図６】風車柱体に風車を装着した風車の架台の平面図である。
【図７】実施例２を示す風車の架台の側面図である。
【図８】牽引装置の側面図である。
【図９】実施例３を示す風車の架台の側面図である。
【図１０】プロペラ式風車を装着した風車の架台の側面図である。
【符号の説明】
【００４６】
１．風車の架台
２．基部  
２ａ．枠材
２ｂ．床板
２ｃ．フック
３．柱支持体
４．柱受台
４ａ．斜交い
５．風車支柱
６．支軸
７．固定ピン
８．牽引装置
９．ワイヤ
１０．巻取案内ローラ
１１．巻取ローラ
１２．ウオームホイール
１３．ウオーム
１４．クランク
１５．車輪
１６．風車
１７．風車基部
１７ａ．キャツプ
１８．回転体
１９．翼支持体
２０．風車翼
２０ａ．傾斜部
２１．蓄電池
【図１】
2010090877.tif 000003
【図２】
2010090877.tif 000004
【図３】
2010090877.tif 000005
【図４】
2010090877.tif 000006
【図５】
2010090877.tif 000007
【図６】
2010090877.tif 000008
【図７】
2010090877.tif 000009
【図８】
2010090877.tif 000010
【図９】
2010090877.tif 000011
【図１０】
2010090877.tif 000012